【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
照明光を出射する照明装置と、
前記照明装置から出射された光を変調して画像を形成する画像形成装置と、
前記画像形成装置により形成された前記画像を投射する投射光学装置と、
前記照明装置から出射された光を前記画像形成装置に導く導光装置と、
を備え、
それぞれ前記画像形成装置の内部を進行する前記照明光の進行方向であり互いに交差する第１方向及び第２方向の両方に垂直な第３方向において、
前記画像形成装置は、少なくとも一部が前記照明装置と重なるように配置されていることを特徴とするプロジェクター。
【請求項２】
請求項１に記載のプロジェクターにおいて、
前記第１方向は、前記第３方向に沿って見て、前記投射光学装置による前記画像の投射方向と平行であり、
前記導光装置は、前記照明装置から前記第１方向とは反対方向に出射された前記照明光を、前記第１方向側に出射して前記画像形成装置に入射させることを特徴とするプロジェクター。
【請求項３】
請求項１又は２に記載のプロジェクターにおいて、
前記画像形成装置は、
入射される前記照明光を複数の色光に分離する色分離装置と、
前記色分離装置によって分離された前記複数の色光のそれぞれに応じて設けられる複数の光変調装置と、
前記複数の光変調装置から入射される前記複数の色光を合成して前記画像を形成する色合成装置と、を備え、
前記色分離装置は、
前記照明光を、前記複数の色光のうち、前記第１方向に進行する第１色光と、前記第２方向に進行する他の色光とに分離する第１色分離素子と、
前記第１色分離素子によって分離された前記他の色光を、前記第１方向に進行する第２色光と、前記第２方向に進行する第３色光とに分離する第２色分離素子と、を有することを特徴とするプロジェクター。
【請求項４】
請求項３に記載のプロジェクターにおいて、
前記画像形成装置は、前記導光装置から前記色分離装置に入射される前記照明光の光路に配置されて、前記導光装置から入射される前記照明光の照度分布を均一化するとともに偏光を揃える均一化装置を備えることを特徴とするプロジェクター。
【請求項５】
請求項３に記載のプロジェクターにおいて、
前記画像形成装置は、前記照明装置から入射される前記照明光の照度分布を均一化するとともに偏光を揃える均一化装置を備えることを特徴とするプロジェクター。
【請求項６】
請求項３から５のいずれか一項に記載のプロジェクターにおいて、
前記画像形成装置は、
前記第２方向に進行する前記第３色光を前記第１方向に反射させる第１反射部材と、
前記第１反射部材にて反射されて前記第１方向に進行する前記第３色光を前記第２方向とは反対方向に反射させる第２反射部材と、
前記第１色分離素子から前記第１方向に進行する前記第１色光を前記第２方向に反射させる第３反射部材と、を有し、
前記複数の光変調装置は、
前記第２方向に沿って入射される前記第１色光を変調する第１光変調装置と、
前記第１方向に沿って入射される前記第２色光を変調する第２光変調装置と、
前記第２方向とは反対方向に沿って入射される前記第３色光を変調する第３光変調装置と、を含み、
前記色合成装置は、
前記第２方向に交差し、前記第１光変調装置によって変調された前記第１色光が入射される第１入射面と、
前記第１方向に交差し、前記第２光変調装置によって変調された前記第２色光が入射される第２入射面と、
前記第２方向に交差し、前記第３光変調装置によって変調された前記第３色光が入射される第３入射面と、
前記第２入射面とは反対側に位置し、前記色合成装置にそれぞれ入射された前記第１色光、前記第２色光及び前記第３色光が合成された前記画像を、前記投射光学装置に向かう前記第１方向に出射する出射面と、を有することを特徴とするプロジェクター。
【請求項７】
請求項１から６のいずれか一項に記載のプロジェクターにおいて、
前記照明装置は、
光源光を出射する光源部と、
前記光源光を第１光源光及び第２光源光に分離する分離合成部と、
前記分離合成部によって分離された前記第１光源光を波長変換した変換光を出射する波長変換部と、
前記分離合成部によって分離された前記第２光源光を拡散させる光拡散部と、
前記光源部と接続され、前記光源部の熱を放熱する放熱部と、を有し、
前記光源部は、前記光源光を前記第２方向とは反対方向に出射し、
前記分離合成部は、前記波長変換部から出射された前記変換光、及び、前記光拡散部によって拡散された前記第２光源光を合成した前記照明光を、前記導光装置に向けて前記第１方向とは反対方向に出射し、
前記放熱部は、前記光源部に対して前記第２方向側に位置することを特徴とするプロジェクター。
【請求項８】
請求項７に記載のプロジェクターにおいて、
前記照明装置は、前記分離合成部に対して前記第２方向とは反対方向に位置し、前記分離合成部によって分離されて前記第２方向とは反対方向に進行する前記第２光源光を前記第１方向に反射させる第２光源光用反射部材を有し、
前記波長変換部及び前記光拡散部は、前記分離合成部及び前記第２光源光用反射部材に対して前記第１方向に位置する同一の基板上に位置し、
前記分離合成部は、
前記第１光源光を前記第１方向に出射し、
前記第２光源光を前記第２方向とは反対方向に出射し、
前記波長変換部により変換され前記第１方向とは反対方向から入射される前記変換光を前記第１方向とは反対方向に出射し、
前記光拡散部により拡散され前記第２光源光用反射部材を介して前記第２方向から入射される前記第２光源光を前記第１方向とは反対方向に出射することを特徴とするプロジェクター。
【請求項９】
請求項８に記載のプロジェクターにおいて、
前記照明装置は、前記第１方向と平行な回転軸を中心として前記同一の基板を回転させる回転装置を有することを特徴とするプロジェクター。
【請求項１０】
請求項７に記載のプロジェクターにおいて、
前記波長変換部は、前記分離合成部に対して前記第１方向に位置し、
前記光拡散部は、前記分離合成部に対して前記第２方向とは反対方向に位置し、
前記分離合成部は、
前記第１光源光を前記第１方向に出射し、
前記第２光源光を前記第２方向とは反対方向に出射し、
前記波長変換部により変換され前記第１方向とは反対方向から入射される前記変換光を前記第１方向とは反対方向に出射し、
前記光拡散部により拡散され前記第２方向から入射される前記第２光源光を前記第１方向とは反対方向に出射することを特徴とするプロジェクター。
【請求項１１】
照明光を出射する照明装置と、
前記照明装置から出射された光を変調して画像を形成する画像形成装置と、
前記画像形成装置により形成された前記画像を投射する投射光学装置と、
前記照明装置から出射された光を前記画像形成装置に導く導光装置と、
を備え、
前記照明装置は、光源と、前記光源から入射し第１波長を有する光を、前記第１波長とは異なる第２波長を有する光に変換する波長変換装置と、を有し、
前記画像形成装置は、前記照明装置から出射された光を複数の色光に分離する色分離装置と、前記複数の色光を色光毎に画像情報に応じて変調する光変調装置と、を有し、
それぞれ前記画像形成装置の内部を進行する前記照明光の進行方向であり互いに交差する第１方向及び第２方向の両方に垂直な第３方向において、
前記画像形成装置は、少なくとも一部が前記照明装置と重なるように配置されていることを特徴とするプロジェクター。
【請求項１２】
請求項１から６のいずれか一項に記載のプロジェクターにおいて、
前記照明装置は、
青色光を前記第１方向とは反対方向に出射する第１光源部と、
励起光を前記第１方向とは反対方向に出射する第２光源部と、
前記第１光源部に対して前記第１方向とは反対方向に位置し、入射される前記青色光を拡散させる光拡散部と、
前記第２光源部に対して前記第１方向とは反対方向に位置し、入射される前記励起光を前記第２方向とは反対方向に反射させる反射部と、
前記光拡散部に対して前記第１方向とは反対方向に位置し、前記反射部を介して入射される前記励起光を前記第２方向とは反対方向に出射する光合成部と、
前記光合成部に対して前記第２方向とは反対方向に位置し、前記光合成部から入射される前記励起光を波長変換した変換光を出射する波長変換部と、
前記第１光源部及び前記第２光源部に対して前記第１方向に位置し、前記第１光源部及び前記第２光源部から伝達される熱を放熱する放熱部と、を有し、
前記光合成部は、前記光拡散部から入射される前記青色光、及び、前記波長変換部から入射される前記変換光を、前記第１方向とは反対方向に出射することを特徴とするプロジェクター。
【請求項１３】
請求項１から１２のいずれか一項に記載のプロジェクターにおいて、
前記導光装置は、前記照明装置から入射される前記照明光を前記画像形成装置に反射させる反射部材を有することを特徴とするプロジェクター。